(57)【要約】【課題】ポリウレタンベースの接着剤／密封材および水を適用の前に乳化するアプリケータシステムを提供すること。【解決手段】アプリケータセンブリであって、モータおよび電源を受容するように構成されたハウジングと、ハウジングに動作可能なように結合された流体供給源であって、流体供給源は、少なくとも第１および第２の溶液源を含む、流体供給源と、ハウジングから延びており、流体供給源と流体連通するノズルアセンブリであって、ノズルアセンブリは、少なくとも第１および第２の溶液を混合する回転子を含む、ノズルアセンブリとを備える、アセンブリ。【選択図】図１
2009262152.tif 000002
【特許請求の範囲】
【請求項１】
アプリケータセンブリであって、
モータおよび電源を受容するように構成されたハウジングと、
該ハウジングに動作可能なように結合された流体供給源であって、該流体供給源は、少なくとも第１および第２の溶液源を含む、流体供給源と、
該ハウジングから延びており、該流体供給源と流体連通するノズルアセンブリであって、該ノズルアセンブリは、少なくとも第１および第２の溶液を混合する回転子を含む、ノズルアセンブリと
を備える、アセンブリ。
【請求項２】
前記第１および第２の溶液源は、シリンジである、請求項１に記載のアセンブリ。
【請求項３】
前記ハウジングは、前記第１および第２の溶液を分配する作動アセンブリをさらに含む、請求項１に記載のアセンブリ。
【請求項４】
前記モータは、約１，０００ＲＰＭ〜約３５，０００ＲＰＭで前記回転子を回転させるように構成される、請求項１に記載のアセンブリ。
【請求項５】
前記モータは、約２，５００ＲＰＭ〜約１０，０００ＲＰＭで前記回転子を回転させるように構成される、請求項１に記載のアセンブリ。
【請求項６】
前記ノズルアセンブリは、均質化された溶液を分配する出口を含むように構成される、請求項１に記載のアセンブリ。
【請求項７】
前記ハウジングは、ピストルグリップを画定する、請求項１に記載のアセンブリ。
【請求項８】
前記ハウジングは、ペンシルグリップを画定する、請求項１に記載のアセンブリ。
【請求項９】
前記流体供給源は、前記ハウジングに選択的に結合される、請求項１に記載のアセンブリ。
【請求項１０】
前記ノズルアセンブリは、前記ハウジングと一体的に形成される、請求項１に記載のアセンブリ。
【請求項１１】
前記ノズルアセンブリは、前記ハウジングから選択的に脱着可能である、請求項１に記載のアセンブリ。
【請求項１２】
前記少なくとも第１および第２の溶液源から前記溶液を選択的に分配するトリガ機構をさらに含む、請求項１に記載のアセンブリ。
【請求項１３】
前記トリガ機構は、前記ハウジングに旋回可能なように搭載されたトリガを含む、請求項１２に記載のアセンブリ。
【請求項１４】
前記トリガ機構は、前記ハウジングに回転可能なように搭載されたホイールを含む、請求項１２に記載のアセンブリ。
【請求項１５】
前記回転子は、ネジ切りされている、請求項１に記載のアセンブリ。
【請求項１６】
前記回転子は、平滑である、請求項１に記載のアセンブリ。
【請求項１７】
アプリケータセンブリであって、
モータおよび電源を受容するように構成されたハウジングであって、該ハウジングは、ユーザによる動作可能な係合のためのピストルグリップを形成するハンドルを含み、該ハウジングは、少なくとも第１および第２の溶液源を含む流体供給源を選択的に受容するようにさらに構成されている、ハウジングと、
該ハウジングから延びており、該流体供給源と流体連通するように構成されたノズルアセンブリであって、該ノズルアセンブリは、少なくとも第１および第２の溶液を混合する回転子を含む、ノズルアセンブリと、
流体供給源から第１および第２の溶液を選択的に分配する、該ハウジング内に動作可能なように搭載された作動機構と
を備える、アセンブリ。
【請求項１８】
アプリケータセンブリであって、
モータおよび電源を受容するように構成されたハウジングであって、該ハウジングは、ユーザによる動作可能な係合のためのペンシルグリップを形成し、該ハウジングは、少なくとも第１および第２の溶液源を含む流体供給源を選択的に受容するようにさらに構成されている、ハウジングと、
該ハウジングから延びており、該流体供給源と流体連通するように構成されたノズルアセンブリであって、該ノズルアセンブリは、少なくとも第１および第２の溶液を混合する回転子を含む、ノズルアセンブリと、
流体供給源から第１および第２の溶液を選択的に分配する、該ハウジング内に動作可能なように搭載された作動機構と
を備える、アセンブリ。
【発明の詳細な説明】
【技術分野】
【０００１】
（関連出願の引用）
本出願は、米国仮出願第６１／０４７，４８９号（２００８年４月２４日出願）の優先権の利益を主張し、該仮出願は、その全体が参考のために本明細書中に援用される。
【０００２】
（技術分野）
本開示は、２つ以上の溶液および／または物質を適用の前に混合、均質化および／または乳化するアプリケータ、アプリケータシステム等に関し、より具体的には、ポリウレタンベースの接着剤／密封材および水を適用の前に乳化するアプリケータシステムに関する。
【背景技術】
【０００３】
（関連技術の背景）
現在、内部および外部の創傷の閉鎖に使用するために、重合体およびその他の合成材料が開発されている。「生体接着剤（ｂｉｏａｄｈｅｓｉｖｅ）」が、生体接着剤を適用する方法と同様に、従来技術において公知である。生体接着剤は、従来の創傷閉鎖方法（例えば、縫合糸、ステープル、クリップまたはその他の適切な機械的ファスナーの使用）を超える多くの顕著な利点を提供する。生体接着剤は、適用がより速くより容易であり、創傷の傷跡をより小さく残し、任意の機械的ファスナーの除去のための後日における訪問の必要性を低減する。
【０００４】
ほとんどの生体接着剤は、即時に活性化する傾向を有する成分から組成され、一部の場合では、互いに組み合わされたときに迅速に重合する傾向を有する成分から組成される。生体接着剤のこの即時の活性化および／または迅速な重合のために、生体接着剤を構成する成分は、適用の直前までは組み合わされないことがあり得る。水と混合されたポリウレタンベースの接着剤／密封材を混合および適用するアプリケータは、共有の特許文献１に開示されており、該特許文献の内容の全体は、参考のために本明細書中に援用される。‘００５出願は、２つ以上の溶液を混合、均質化および／または乳化するために、ロータおよびステータを利用する均質化アセンブリを含む、アプリケータシステムを開示している。２つ以上の溶液の乳化に効果があるが、より効率的な混合アセンブリが望ましい。
【先行技術文献】
【特許文献】
【０００５】
【特許文献１】米国特許出願公開第２００８／０２６７００５号明細書
【発明の概要】
【課題を解決するための手段】
【０００６】
（概要）
２つ以上の溶液を混合、乳化および／または均質化するアプリケーターアセンブリが開示される。アセンブリは、モータおよび電源を受容するように構成されたハウジングと、ハウジングに動作可能なように結合された流体供給源と、ハウジングから延びているノズルアセンブリとを含む。流体供給源は、少なくとも第１および第２の溶液源を含む。ノズルアセンブリは、流体供給源と流体連通し、溶液を混合する平滑回転子（ｓｍｏｏｔｈ  ｉｍｐｅｌｌｅｒ）を含む。
【０００７】
アプリケータセンブリにおいて、第１および第２の溶液源は、シリンジを含み得る。ハウジングはさらに、溶液を選択的に分配（ｄｉｓｐｅｎｓｅ）する作動アセンブリを含み得る。モータは、平滑回転子を約１，０００ＲＰＭ〜約３５，０００ＲＰＭで回転させるように構成される。ノズルアセンブリは、均質化された溶液を分配する出口を含むように構成される。アプリケータセンブリのハウジングは、ピストルグリップまたはペンシルグリップを画定し得る。ノズルアセンブリは、ハウジングと一体に形成され得るか、または、ハウジングから選択的に脱着可能なように構成される。
【０００８】
アプリケータセンブリはさらに、第１および第２の溶液を選択的に供給するトリガ機構を含み得る。トリガ機構は、ハウジングに旋回可能なように搭載されたトリガを含み得るか、または、ハウジングに回転可能なように搭載されたホイールを含み得る。
【０００９】
本発明は、さらに以下の手段を提供する。
（項目１）  
アプリケータセンブリであって、
モータおよび電源を受容するように構成されたハウジングと、
該ハウジングに動作可能なように結合された流体供給源であって、該流体供給源は、少なくとも第１および第２の溶液源を含む、流体供給源と、
該ハウジングから延びており、該流体供給源と流体連通するノズルアセンブリであって、該ノズルアセンブリは、少なくとも第１および第２の溶液を混合する回転子を含む、ノズルアセンブリと
を備える、アセンブリ。
（項目２）  
上記第１および第２の溶液源は、シリンジである、項目１に記載のアセンブリ。
（項目３）  
上記ハウジングは、上記第１および第２の溶液を分配する作動アセンブリをさらに含む、項目１〜２のいずれか一項に記載のアセンブリ。
（項目４）  
上記モータは、約１，０００ＲＰＭ〜約３５，０００ＲＰＭで上記回転子を回転させるように構成される、項目１〜３のいずれか一項に記載のアセンブリ。
（項目５）  
上記モータは、約２，５００ＲＰＭ〜約１０，０００ＲＰＭで上記回転子を回転させるように構成される、項目１〜４のいずれか一項に記載のアセンブリ。
（項目６）  
上記ノズルアセンブリは、均質化された溶液を分配する出口を含むように構成される、項目１〜５のいずれか一項に記載のアセンブリ。
（項目７）  
上記ハウジングは、ピストルグリップを画定する、項目１〜６のいずれか一項に記載のアセンブリ。
（項目８）  
上記ハウジングは、ペンシルグリップを画定する、項目１〜７のいずれか一項に記載のアセンブリ。
（項目９）  
上記流体供給源は、上記ハウジングに選択的に結合される、項目１〜８のいずれか一項に記載のアセンブリ。
（項目１０）  
上記ノズルアセンブリは、上記ハウジングと一体的に形成される、項目１〜９のいずれか一項に記載のアセンブリ。
（項目１１）  
上記ノズルアセンブリは、上記ハウジングから選択的に脱着可能である、項目１〜１０のいずれか一項に記載のアセンブリ。
（項目１２）  
上記少なくとも第１および第２の溶液源から上記溶液を選択的に分配するトリガ機構をさらに含む、項目１〜１１のいずれか一項に記載のアセンブリ。
（項目１３）  
上記トリガ機構は、上記ハウジングに旋回可能なように搭載されたトリガを含む、項目１〜１２のいずれか一項に記載のアセンブリ。
（項目１４）  
上記トリガ機構は、上記ハウジングに回転可能なように搭載されたホイールを含む、項目１〜１３のいずれか一項に記載のアセンブリ。
（項目１５）  
上記回転子は、ネジ切りされている、項目１〜１４のいずれか一項に記載のアセンブリ。
（項目１６）  
上記回転子は、平滑である、項目１〜１５のいずれか一項に記載のアセンブリ。
（項目１７）  
アプリケータセンブリであって、
モータおよび電源を受容するように構成されたハウジングであって、該ハウジングは、ユーザによる動作可能な係合のためのピストルグリップを形成するハンドルを含み、該ハウジングは、少なくとも第１および第２の溶液源を含む流体供給源を選択的に受容するようにさらに構成されている、ハウジングと、
該ハウジングから延びており、該流体供給源と流体連通するように構成されたノズルアセンブリであって、該ノズルアセンブリは、少なくとも第１および第２の溶液を混合する回転子を含む、ノズルアセンブリと、
流体供給源から第１および第２の溶液を選択的に分配する、該ハウジング内に動作可能なように搭載された作動機構と
を備える、アセンブリ。
（項目１８）  
アプリケータセンブリであって、
モータおよび電源を受容するように構成されたハウジングであって、該ハウジングは、ユーザによる動作可能な係合のためのペンシルグリップを形成し、該ハウジングは、少なくとも第１および第２の溶液源を含む流体供給源を選択的に受容するようにさらに構成されている、ハウジングと、
該ハウジングから延びており、該流体供給源と流体連通するように構成されたノズルアセンブリであって、該ノズルアセンブリは、少なくとも第１および第２の溶液を混合する回転子を含む、ノズルアセンブリと、
流体供給源から第１および第２の溶液を選択的に分配する、該ハウジング内に動作可能なように搭載された作動機構と
を備える、アセンブリ。
（摘要）
２つ以上の成分を混合、均質化および／または乳化するアプリケータセンブリが開示される。アプリケータセンブリは、モータおよび電源を受容するように構成されたハウジングと、ハウジングに動作可能なように結合された流体供給源であって、少なくとも第１および第２の溶液源を含む流体供給源と、ノズルアセンブリであって、ハウジングから延びており、流体供給源と流体連通し、少なくとも第１および第２の溶液を混合する平滑回転子を含むノズルアセンブリとを含む。
【図面の簡単な説明】
【００１０】
【図１】図１は、本開示の一実施形態にしたがう、アプリケータセンブリの斜視的な上面／側面図である。
【図２】図２は、図１のアプリケータセンブリの背面／側面の立面図である。
【図３】図３は、図１および図２のアプリケータセンブリの断面図である。
【図４】図４は、図１〜図３のアプリケータセンブリの遠位端の拡大された断面図である。
【図５】図５は、本開示のアプリケータセンブリの代替的な実施形態の斜視図である。
【発明を実施するための形態】
【００１１】
上述の概要ならびに以下の詳細な説明は、添付図面と関連付けて読んだときに、より良く理解される。本開示を示す目的のために、好適な実施形態が示される。しかしながら、本開示は、示されている通りの装置および器具に限定されないことが理解されるべきである。
【００１２】
本開示は、特に、重合体接着剤および水の乳化および／または均質化に関するが、本開示の局面は、２つ以上の溶液が適用の前に混合、均質化、乳化等を必要とする、任意の装置、システムまたは方法に組み込まれ得る。ここで、本開示のアプリケータの実施形態が、複数の図面を参照して詳細に説明され、いくつかの図面の各々において、同様の参照番号は同一または対応する要素を示す。本明細書中で用いられるとき、用語「遠位」は、ユーザから遠い器具の部分またはコンポーネントそのものを意味し、用語「近位」は、ユーザに近い部分を意味する。
【００１３】
最初に図１〜図４を参照すると、本開示のアプリケータシステムが、概してアプリケータセンブリ１００として示されている。アプリケータセンブリ１００は、ハウジング１１０と、ハウジング１１０に動作可能なように係合された流体供給源１３０と、ハウジング１１０から遠位に延びているノズルアセンブリ１７０とを含む。
【００１４】
アプリケータセンブリ１００のハウジング１１０は、ハウジングの半分１１０ａ、１１０ｂを含む。ハウジングの半分１１０ａ、１１０ｂは、バレル部分１１２とハンドル部分１１４とを含む。以下でさらに詳細に議論されるように、バレル部分１１２は、作動機構１４０（図３）、モータ１５０（図５)および電源１６０（図３)を保持するように構成される。バレル部分１１２は、流体供給源１３０を選択的に受容するためのクリップ１１８ａ、１１８ｂを含む。ハウジング１１０のハンドル部分１１４は、ユーザによる動作可能な係合のために構成される。以下でさらに詳細に議論されるように、ハンドル部分１１４は、トリガ機構１２０を含む（図３)。
【００１５】
さらに図１〜図４を参照すると、流体供給源１３０は、第１および第２のシリンジまたは流体源１３２、１３４に取り付けられるベース１３１を画定する。流体供給源１３０は２つの流体源によって示されているが、アプリケータセンブリ１００は、２つよりも多くの流体を分配するように構成され得る。第１および第２のシリンジ１３２、１３４は、同様または異なるサイズであり得る。第１および第２のシリンジ１３２、１３４の各々はそれぞれ、第１および第２のシリンジ１３２、１３４の各々からそれぞれ流体を選択的に分配するために、プランジャ１３２ａ、１３４ａをそれぞれ含む。第１および第２のシリンジ１３２、１３４の遠位端１３２ｂ、１３４ｂのそれぞれは、Ｙコネクタ１３６と流体連通する。第１および第２のシリンジ１３２、１３４からの流体は、最初に、Ｙコネクタ１３６内で混合する。あるいは、流体は、Ｙコネクタ１３６を流れる流体として分離され続け得る。チューブ１３８は、Ｙコネクタ１３６とノズルアセンブリ１７０とを流体連通させる。Ｙコネクタ１３６と同様に、チューブ１３８は、混合流体が流れることを可能にする単一の管腔で構成されるか、または、チューブ１３８は、第１および第２のシリンジ１３２、１３４から流体を分離させ続ける複数の管腔を含み得る。結合要素１３９が、チューブ１３８の遠位端に配置され、チューブ１３８をノズルアセンブリ１７０と選択的に固定させる。結合要素１３９は、ネジ切りされていたり、摩擦嵌めされていたり、ルアーロックを含んでいたり、その他の方法でノズルアセンブリ１７０に機械的に取り付けられ得る。
【００１６】
ここで図３を特に参照すると、ハウジング１１０は、トリガアセンブリ１２０と、作動機構１４０と、モータ１５０と、電源１６０とを保持するように構成される。モータ１５０は、平滑回転子１７４を１〜２５，０００ＲＰＭの速度で、より具体的には１，０００ＲＰＭ以上の速度で回転させることが可能な任意のモータを含み得る。モータ１５０は、可変速度モータであるか、または、単一速度に設定され得る。モータ１５０は、バレル部分１１２の遠位端１１２ｂ内に保持される。電源１６０は、バレル部分１１２の近位端１１２ａ内に位置される。あるいは、アプリケータセンブリ１００は、遠隔電源（図示されず）との動作可能な係合のために構成され得る。電源１６０は、モータ１５０を起動させるスイッチまたはレバー１６２を含む。電源１６０は、電源１６０の出力を、ひいてはモータ１５０の速度を調整するための、ノブまたは第２のレバー（図示されず）をさらに含み得る。
【００１７】
さらに図３を参照すると、トリガ機構１２０は、軸中心１２３ａのまわりでハウジング１１０に旋回可能なように搭載されたトリガ１２２を含む。トリガ１２２の近位端１２２ａは、ユーザによる動作可能な係合のために構成される。トリガ１２２の遠位端１２２ｂは、作動機構１４０と動作可能なように係合する。作動機構１４０は、スライド部材１４２を含む。スライド部材１４２は、ハウジング１１０内でスライド可能なように配置され、トリガ１２２の遠位端１２２ｂと動作可能なように係合する旋回ピン１２３ａを含む。スライド部材１４２は、第１および第２の延長部１４４、１４６を含む実質的にＣ形状の部材を含む。第１の延長部１４４は、ハウジング１１０内に搭載されたバネ１４５と係合する。第２の延長部１４６は、ラック（ｒａｃｋ）１４８との係合のための歯止め部材（ｐａｗｌ  ｍｅｍｂｅｒ）１４７を含む。ラック１４８は、流体供給源１３０と動作可能なように結合され、ハウジングの半分セクション１１０ａ、１１０ｂの間に形成された溝１１１内でスライドするように構成される。ラックは、歯止め部材１４７との係合のためにその長さに沿ったノッチまたは歯１４８ａを含む。ラック１４８は、流体供給源１３０の第１および第２のプランジャ１３２ａ、１３４ａとの係合のために遠位端１４８ｂから延びているフランジ１４９をさらに含む。以下でさらに詳細に議論されるように、スライド部材１４２は、バレル部分１１４内で長手方向に前進し、ラック１４８のノッチ１４８ａと歯止め部材１４７との係合もまた、ラック１４８を前進させる。ラック１４８の前進は、プランジャ１３２ａ、１３４ａと係合するようにフランジ１４９を前進させ、それにより、流体が第１および第２のシリンジ１３２、１３４からＹコネクタ１３６に流れ、そして、出口１７５を通ってノズルアセンブリ１７０に流れるようにする。
【００１８】
ここで図３および図４を参照すると、ノズルアセンブリ１７０は、モータ１５０に動作可能なように結合され、流体供給源１３０と流体連通する。ノズルアセンブリ１７０は、ハウジング１１０のバレル部分１１２に固定された延長部１７２を含む。あるいは、延長部１７２は、ハウジング１１０と一体的に形成され得る。延長部１７２は、平滑回転子１７４を受容するために、その長さに沿った通路１７１を画定する。代替的な実施形態において、回転子１７４は、流体の混合を補助するために、ネジ山を含んでいたり、あるいはその他の方法で構成されたりし得る。以下でさらに詳細に議論されるように、延長部１７２の遠位端１７２ｂは、混合された流体を完全に分配するための出口１７３を画定する。延長部１７２は、流体入口ポート１７５をさらに含む。入口ポート１７５は、結合要素１３９と動作可能なように係合するように構成される。
【００１９】
ここで、アプリケータセンブリ１００の動作が、図１〜図４を参照して議論される。最初に、流体供給源１３０は、第１および第２のシリンジ１３２、１３４の第１および第２のプランジャ１３２ｂ、１３４ｂのそれぞれがフランジ１４９に隣接して配置されるように、クリップ１１８ａ、１１８ｂ内に受容される。流体供給源１３０のチューブ１３８は、結合要素１３９によって、延長部１７２の流体入口ポート１７５に結合される。あるいは、アプリケータセンブリ１００は、既に取り付けられ結合された流体供給源１３０を提供され得る。流体供給源１３０がハウジング１１０および延長部１７０に動作可能なように結合されると、モータ１５０が、スイッチ１６２を用いて起動され得る。モータ１５０の起動は、平滑回転子１７４を延長部１７２の通路１７１内で回転させる。
【００２０】
モータ１５０が起動されると、トリガ１２２を強く握ること（ｓｑｕｅｅｚｅ）は、スライド部材１４２の前進を引き起こす。スライド部材１４２の前進は、歯止め部材１４４とラック１４８の歯１４８ａとの係合を引き起こす。ラック１４８の前進は、ラック１４８のフランジ１４９と第１および第２のシリンジ１３２、１３４のプランジャ１３２ａ、１３２ｂのそれぞれとの係合を引き起こす。このようにして、流体供給源１３０からの流体は、チューブ１３８を介して延長部１７２の通路１７１の中へと、第１および第２のシリンジ１３２、１３４から選択的に放出され得る。通路１７１を流れる流体は、平滑回転子１７４と延長部１７２の内壁との間に押しやられる。平滑回転子１７４の回転は、流体が延長部１７２の長さに沿って流れるときに、流体の混合、均質化および／または乳化を引き起こす。ノズルアセンブリ１７０は、出口１７３を介して混合物が分配されるときに流体が完全に均質化されているように構成される。平滑回転子１７４による流体の混合は、ロータおよびステータを利用した従来の混合アプリケータよりもはるかに小さい力を必要とする。同じことが、ネジ切りまたは溝が作られた回転子にも当てはまる。
【００２１】
ここで図５を参照すると、本開示の代替的な実施形態が、概してアプリケータセンブリ２００として示される。アプリケータセンブリ２００は、アプリケータセンブリ１００と実質的に類似しているので、それらの間の差異に関してのみ記載される。アプリケータセンブリ２００は、トリガ機構２２０を画定するハウジング２１０と、流体供給源２３０と、作動機構２４０と、ノズルアセンブリ２７０とを含む。
【００２２】
さらに図５を参照すると、トリガ機構２２０は、作動機構２４０のラック２４８と動作可能なように係合されたトリガまたは作動ホイール２２２を含む。矢印「Ａ」の方向における作動ホイール２２２の回転は、ラック２４８の前進を引き起こす。アプリケータセンブリ２００と同様に、ラック２４８の前進は、ラック２４８の遠位端から延びているフランジ２４９と第１および第２のシリンジ２３２、２３４のそれぞれとの係合を引き起こす。上述のように、ラック２４８の継続的な前進は、流体供給源２３０からノズルアセンブリ２７０の中への流体の流れを引き起こし、流体はノズルアセンブリ内で混合される。
【００２３】
したがって、本開示の均質化アプリケータシステムの形式、詳細、動作に関する様々な変更が、本開示の精神および範囲から逸脱することなくなされ得る。
【符号の説明】
【００２４】
１００  アプリケータセンブリ
１１０  ハウジング
１１１  溝
１１２  バレル部分
１１４  ハンドル部分
１２０  トリガ機構
１３０  流体供給源
１６０  電源
１３２、１３４  流体源
１３６  Ｙコネクタ
１７０  ノズルアセンブリ
【図１】
2009262152.tif 000003
【図２】
2009262152.tif 000004
【図３】
2009262152.tif 000005
【図４】
2009262152.tif 000006
【図５】
2009262152.tif 000007